(57)【特許請求の範囲】
【請求項１】
着用者の前胴回りに当てられる前胴回り領域と、
着用者の後胴回りに当てられる後胴回り領域と、
前記前胴回り領域と前記後胴回り領域との間に位置する股下領域と、
前記前胴回り領域から前記後胴回り領域へ向かう前後方向と、
前記前胴回り領域及び前記後胴回り領域によって規定され、着用者の腰回りを囲むように配置される腰回り開口部と、
前記前胴回り領域と前記後胴回り領域の少なくとも一方に設けられた外装トップシートと、
前記外装トップシートに貼り合わされた外装バックシートと、を有し、
前記外装バックシートは、前記外装トップシートよりも前記腰回り開口部の方へ延びており、かつ前記腰回り開口部のところで折り返された折り返し部を有し、
前記前後方向と直交する横方向に沿って延び、前記折り返し部の少なくとも一部と重なる補強シートが設けられており、
前記前後方向における前記補強シートの長さは、前記前後方向における折り返し部の長さよりも長く、
前記補強シートは、前記前胴回り領域と前記後胴回り領域の両方に設けられており、
前記後胴回り領域に設けられた前記補強シートの、前記前後方向における長さは、前記前胴回り領域に設けられた前記補強シートの、前記前後方向における長さよりも長い、パンツ型の吸収性物品。
【請求項２】
前記外装トップシートと前記外装バックシートの合計目付は、３２ｇ／ｍ２以下である、請求項１に記載のパンツ型の吸収性物品。
【請求項３】
前記補強シートは、少なくとも前記後胴回り領域に設けられている、請求項１又は２に記載のパンツ型の吸収性物品。
【請求項４】
少なくとも前記股下領域に配置された吸収体を有し、
前記補強シートは、前記吸収体よりも着用者の肌側で、前記前後方向における前記吸収体の端部と重なっている、請求項１から３のいずれか１項に記載のパンツ型の吸収性物品。
【請求項５】
前記補強シートは、不織布からなり、前記外装トップシートと前記外装バックシートの少なくとも一方に簡欠的に接合されている、請求項１から４のいずれか１項に記載のパンツ型の吸収性物品。
【請求項６】
前後方向における前記補強シートの端部は前記折り返し部の内部に位置する、請求項１から５のいずれか１項に記載のパンツ型の吸収性物品。
【請求項７】
前記外装トップシートと前記外装バックシートとの間に挟まれ、前記前後方向に直交する横方向に延びる複数の胴回り弾性材をさらに有する、請求項１から６のいずれか１項に記載のパンツ型の吸収性物品。
【請求項８】
前記複数の胴回り弾性材よりも前記腰回り開口部側で前記折り返し部の内部に設けられ、前記横方向に延びる複数のウエスト弾性材をさらに有し、
前記前後方向における前記複数の胴回り弾性材のピッチは、前記前後方向における前記複数のウエスト弾性材のピッチよりも長く、
前記補強シートは、平面視で前記複数の胴回り弾性材の少なくとも一部と重複している、請求項７に記載のパンツ型の吸収性物品。
【請求項９】
前記補強シートは、平面視で前記複数の胴回り弾性材の少なくとも一部と重複しており、
前記複数の胴回り弾性材の各々は、接着材によって前記外装トップシート及び前記外装バックシートに接合されており、
平面視で前記補強シートと重複した領域であって、かつ前記複数の胴回り弾性材を接合する前記接着材どうしの間の領域には、接着材が設けられていない領域が存在する、請求項７又は８に記載のパンツ型の吸収性物品。
【発明の詳細な説明】
【技術分野】
【０００１】
本発明は、パンツ型の吸収性物品に関する。
【背景技術】
【０００２】
特許文献１は、パンツ型の吸収性物品を開示している。この吸収性物品は、着用者の腹側に配置される前胴回り領域と、着用者の背側に配置される後胴回り領域と、着用者の股下に対応し、前胴回り領域と後胴回り領域との間に位置する股下領域と、を有する。前胴回り領域と後胴回り領域は、着用者の腰回りが挿入される腰回り開口を形成する。この吸収性物品は、吸収体を有する吸収性本体と、吸収性本体よりも外方向に配置された外装体と、を備える。外装体は、少なくとも前胴回り領域と後胴回り領域に設けられている。外装体は、腰回り開口側の端部において内方向に向かって折り返されている。
【先行技術文献】
【特許文献】
【０００３】
【特許文献１】特開２０１３−１２８５１２号公報
【発明の概要】
【発明が解決しようとする課題】
【０００４】
特許文献１は、前胴回り領域及び後胴回り領域における通気性を向上させるという課題を開示している。通気性を向上させるための一手段として、外装材を薄くする、つまり外装材の目付を低くするということが考えられる。また、コスト低下の観点から外装材の目付を低くすることが好ましい。しかしながら、外装材を薄くすると、パンツ型の吸収性物品を着用する動作中に、吸収性物品が破れる虞がある。
【０００５】
よって、外装材を薄くしたとしても、着用動作中の破損を抑制することができるパンツ型の吸収性物品を提供することが望まれる。
【課題を解決するための手段】
【０００６】
一態様に係るパンツ型の吸収性物品は、着用者の前胴回りに当てられる前胴回り領域と、着用者の後胴回りに当てられる後胴回り領域と、前記前胴回り領域と前記後胴回り領域との間に位置する股下領域と、前記前胴回り領域から前記後胴回り領域へ向かう前後方向と、前記前胴回り領域及び前記後胴回り領域によって規定され、着用者の腰回りを囲むように配置される腰回り開口部と、前記前胴回り領域と前記後胴回り領域の少なくとも一方に設けられた外装トップシートと、前記外装トップシートに貼り合わされた外装バックシートと、を有し、前記外装バックシートは、前記外装トップシートよりも前記腰回り開口部の方へ延びており、かつ前記腰回り開口部のところで折り返された折り返し部を有し、前記前後方向と直交する横方向に沿って延び、前記折り返し部の少なくとも一部と重なる補強シートが設けられており、前記前後方向における前記補強シートの長さは、前記前後方向における折り返し部の長さよりも長い。
【発明の効果】
【０００７】
上記態様に係るパンツ型の吸収性物品では、着用動作中にパンツ型の吸収性物品の破損を抑制することができる。
【図面の簡単な説明】
【０００８】
【図１】図１は、一実施形態に係る使い捨ておむつの斜視図である。
【図２】図２は、一実施形態に係る使い捨ておむつの展開平面図である。
【図３】図２に示すＸ２−Ｘ’２線に沿った一実施例に係る使い捨ておむつの断面図である。
【図４】図２に示すＸ２−Ｘ’２線に沿った別の実施例に係る使い捨ておむつの断面図である。
【発明を実施するための形態】
【０００９】
次に、一実施形態に係る吸収性物品について、図面を参照しながら説明する。本実施形態に係る吸収性物品は使い捨ておむつである。なお、以下の図面の記載において、同一又は類似の部分には、同一又は類似の符号を付している。ただし、図面は模式的なものであり、各寸法の比率などは現実のものとは異なることがあることに留意すべきである。
【００１０】
したがって、具体的な寸法などは以下の説明を参酌して判断すべきである。また、図面相互間においても互いの寸法の関係や比率が異なる部分が含まれ得る。
【００１１】
（１）使い捨ておむつの構成
図１は、一実施形態に係る吸収性物品の平面図である。図２は、図１に示したＦ２−Ｆ２線に沿った吸収性物品の断面図である。本実施形態に係る吸収性物品は、使い捨ておむつである。
【００１２】
図１は、一実施形態に係る使い捨ておむつ１の概略斜視図である。図２は、本実施形態に係る使い捨ておむつ１の展開平面図である。図３は、図２に示すＸ２−Ｘ’２線に沿った使い捨ておむつ１の断面図である。使い捨ておむつ１は、パンツ型の使い捨ておむつであってよい。
【００１３】
使い捨ておむつ１は、図２に示すように、着用者の前胴回りに当てられる前胴回り領域Ｓ１と、着用者の後胴回りに当てられる後胴回り領域Ｓ２と、着用者の股下に当てられ、前胴回り領域Ｓ１と後胴回り領域Ｓ２との間に位置する股下領域Ｓ３と、を有する。
【００１４】
使い捨ておむつ１は、着用者の身体前側と身体後側とに延びる前後方向Ｌと、前後方向Ｌに直交する横方向Ｗと、着用者に向かう内方向及び内方向と反対側に向かう外方向を有する厚み方向Ｔと、を有する。前後方向Ｌは、前胴回り領域Ｓ１から後胴回り領域Ｓ２へ向かう方向とも言える。
【００１５】
前胴回り領域Ｓ１の横方向Ｗ外側に位置する前胴回り縁部４，４’が、後胴回り領域Ｓ２の横方向Ｗの外側に位置する後胴回り縁部６，６’とそれぞれ接合されることによって、使い捨ておむつ１がパンツ型に形成される。パンツ型の使い捨ておむつ１の前胴回り領域Ｓ１及び後胴回り領域Ｓ２には、互いの縁部が接合された接合部１１が形成されている。股下領域Ｓ３は、接合部１１よりも前後方向Ｌの内側の領域である。
【００１６】
使い捨ておむつ１は、図１に示すように、パンツ型に形成された状態で、着用者の腰回りを囲む腰回り開口部８と、着用者の脚回りを囲む一対の脚回り開口部９と、を有する。腰回り開口部８は、前胴回り領域Ｓ１及び後胴回り領域Ｓ２によって規定される。
【００１７】
使い捨ておむつ１は、吸収性本体１Ａと、外装体１Ｂと、から構成されていてよい。吸収性本体１Ａと外装体１Ｂは、互いに接着剤や熱融着などによって接合されている。吸収性本体１Ａは、外装体１Ｂよりも着用者の肌側に配置される。吸収性本体１Ａは、表面シート１０、吸収体４０及び吸収体裏面シート３０を含んでいてよい。
【００１８】
表面シート１０は、着用者の肌に直接に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されていてよい。
【００１９】
吸収性本体１Ａは、表面シート１０の非肌当接面側に設けられたセカンドシート１５を有していてよい。セカンドシート１５は、表面シート１０と吸収体４０との間に配置されていてよい。
【００２０】
吸収体４０は、少なくとも股下領域Ｓ３に設けられている。吸収体４０は、表面シート１０とセカンドシート１５とが接合された複合シートと、吸収体裏面シート３０との間に設けられる。吸収体４０は、ホットメルト型接着剤によって複合シート及び吸収体裏面シート３０に接合されていてよい。吸収体４０は、粉砕パルプや高吸収性ポリマーなどの混合粉体で形成されていてよい。
【００２１】
吸収体裏面シート３０は、吸収体４０の非肌当接面側に設けられている。吸収体裏面シート３０は、液不透過性のシートによって形成されていてよい。吸収体裏面シート３０は、吸収体４０よりも外方向に配置され、かつ液不透過性である。吸収体裏面シート３０は、吸収体４０よりも前後方向Ｌ外側に延出して配置されている。
【００２２】
外装体１Ｂは、使い捨ておむつ１の外装部分を構成する。外装体１Ｂは、吸収体４０を含む吸収性本体１Ａよりも外方向に位置し、使い捨ておむつ１の非肌当接側の面に配置される。外装体１Ｂは、前側外装トップシート７０Ｆと、後側外装トップシート７０Ｒと、前側外装バックシート８０Ｆと、後側外装バックシート８０Ｒと、外装センターシート１００と、を含む。前側外装トップシート７０Ｆ及び前側外装バックシート８０Ｆは、少なくとも前胴回り領域Ｓ１に配置されている。後側外装トップシート７０Ｒ及び後側外装バックシート８０Ｒは、少なくとも後胴回り領域Ｓ２に配置されている。
【００２３】
前側外装トップシート７０Ｆは、前胴回り領域Ｓ１と股下領域Ｓ３とに跨がって配置されていてよい。後側外装トップシート７０Ｒは、後胴回り領域Ｓ２と股下領域Ｓ３とに跨がって配置されていてよい。前側外装トップシート７０Ｆと後側外装トップシート７０Ｒとは、前後方向Ｌに互いに離間して配置されていてよい。前側外装トップシート７０Ｆは、前側外装バックシート８０Ｆと吸収性本体１Ａとの間に配置される。前側外装トップシート７０Ｆは、前側外装バックシート８０Ｆに貼り合わされている。後側外装トップシート７０Ｒは、後側外装バックシート８０Ｒと吸収性本体１Ａとの間に配置される。後側外装トップシート７０Ｒは、後側外装バックシート８０Ｒに貼り合わされている。前側外装トップシート７０Ｆ及び後側外装トップシート７０Ｒは、例えばエアスルー不織布、スパンボンド不織布、ＳＭＳ不織布、防水フィルムによって形成できる。前側外装バックシート８０Ｆ及び後側外装バックシート８０Ｒは、例えばエアスルー不織布、スパンボンド不織布、ＳＭＳ不織布、防水フィルムなどによって形成できる。
【００２４】
前側外装バックシート８０Ｆ及び後側外装バックシート８０Ｒは、着用時において外側に位置する、つまり、着用者の肌から遠い側に配置される。前側外装バックシート８０Ｆは、前胴回り領域Ｓ１と股下領域Ｓ３とに跨がって配置されている。後側外装バックシート８０Ｒは、後胴回り領域Ｓ２と股下領域Ｓ３とに跨がって配置されている。前側外装バックシート８０Ｆと後側外装バックシート８０Ｒとは、前後方向Ｌに互いに離間して配置されていてよい。
【００２５】
前側外装トップシート７０Ｆ、前側外装バックシート８０Ｆ、後側外装トップシート７０Ｒ及び後側外装バックシート８０Ｒは、それぞれ９〜２０ｇ／ｍ２以下の目付を有することが好ましい。前側外装トップシート７０Ｆと前側外装バックシート８０Ｆの合計目付は、３２ｇ／ｍ２以下であることが好ましい。また、後側外装トップシート７０Ｒと後側外装バックシート８０Ｒの合計目付は、３２ｇ／ｍ２以下であることが好ましい。外装センターシート１００は、前後方向Ｌにおいて、前側外装トップシート７０Ｆ及び前側外装バックシート８０Ｆと、後側外装トップシート７０Ｒ及び後側外装バックシート８０Ｒと、を連結する。外装センターシート１００は、前側外装トップシート７０Ｆと吸収体裏面シート３０又は弾性材被覆シート４３との間、及び後側外装トップシート７０Ｒと吸収体裏面シート３０又は弾性材被覆シート４３との間に位置していてよい。なお、弾性材被覆シート４３と吸収体との間に弾性材４４が設けられていてよい。外装センターシート１００は、吸収性本体１Ａがむき出しになることを防止する。外装センターシート１００は、エアスルー不織布、スパンボンド不織布、ＳＭＳ不織布、防水フィルムなどによって形成できる。
【００２６】
前側外装バックシート８０Ｆは、前側外装トップシート７０Ｆよりも腰回り開口部８の方へ延びている。前側外装バックシート８０Ｆは、腰回り開口部８のところで折り返された折り返し部を有する。具体的には、前側外装バックシート８０Ｆは、腰回り開口部８のところで、着用者の肌側に折り返されている。前側外装バックシート８０Ｆの折り返し部は、折り返されることによって２重に重なった領域Ｌ１である。
【００２７】
後側外装バックシート８０Ｒは、後側外装トップシート７０Ｒよりも腰回り開口部８の方へ延びている。後側外装バックシート８０Ｒは、腰回り開口部８のところで折り返された折り返し部を有する。具体的には、後側外装バックシート８０Ｒは、腰回り開口部８のところで、着用者の肌側に折り返されている。後側外装バックシート８０Ｒの折り返し部は、折り返されることによって２重に重なった領域Ｌ２である。
【００２８】
使い捨ておむつ１は、前胴回り領域Ｓ１及び後胴回り領域Ｓ２に補強シート２００Ａ，２００Ｂを有する。本実施形態では、補強シート２００Ａ，２００Ｂは、前胴回り領域Ｓ１と後胴回り領域Ｓ２の両方に設けられている。この代わりに、補強シートは、前胴回り領域Ｓ１と後胴回り領域Ｓ２のいずれか一方のみに設けられていてもよい。この場合、補強シートは、後胴回り領域Ｓ２に設けられていることが好ましい。
【００２９】
補強シート２００Ａ，２００Ｂは、前後方向Ｌと直交する横方向Ｗに沿って延びていてよい。好ましくは、補強シート２００Ａ，２００Ｂは、それぞれ前胴回り領域Ｓ１及び後胴回り領域Ｓ２で、少なくとも接合領域１１間にわたって連続的に延びている。補強シート２００Ａ，２００Ｂは、それぞれ前側外装バックシート８０Ｆ及び後側外装バックシート８０Ｒの折り返し部の少なくとも一部と重なる。補強シート２００Ａ，２００Ｂは、吸収体４０よりも着用者の肌側で、前後方向Ｌにおける吸収体４０の端部と重なっていることが好ましい。
【００３０】
前後方向Ｌにおける補強シート２００Ａの長さＬ３は、前後方向Ｌにおける前側外装バックシート８０Ｆの折り返し部の長さＬ１よりも長い。この場合、補強シート２００Ａは、平面視で、折り返された前側外装バックシート８０Ｆの先端と重なる。前後方向Ｌにおける補強シート２００Ｂの長さＬ４は、前後方向Ｌにおける後側外装バックシート８０Ｒの折り返し部Ｌ２の長さよりも長い。この場合、補強シート２００Ｂは、平面視で、折り返された後側外装バックシート８０Ｒの先端と重なる。好ましくは、後胴回り領域Ｓ２に設けられた補強シート２００Ｂの、前後方向Ｌにおける長さは、前胴回り領域Ｓ１に設けられた補強シート２００Ａの、前後方向Ｌにおける長さよりも長い。また、補強シート２００Ａ，２００Ｂと、前側外装バックシート８０Ｆ又は後側外装バックシート８０Ｒとの重複領域の前後方向Ｌの長さは、５〜１５ｍｍであることが好ましい。
【００３１】
さらに、破損を防止する観点では、補強シート２００Ａ，２００Ｂを配置した領域よりも腰回り開口部８側の外装体１Ｂの最大引張強度は、２５［Ｎ／５０ｍｍ］以上であることが好ましい。補強シート２００Ａ，２００Ｂを配置した領域の外装体１Ｂと補強シートを合わせた部分の最大引張強度は、３５［Ｎ／５０ｍｍ］以上であることが好ましい。補強シート２００Ａ，２００Ｂを配置した領域よりも脚回り開口部９側の領域の外装体１Ｂの最大引張強度は、１５［Ｎ／５０ｍｍ］以上であることが好ましい。ここで、最大引張強度は、（株）島津製作所製のオートグラフ型引張試験機（形式ＡＧ−１ＫＮＩ）を用いて、幅５０ｍｍの試料を、チャック間距離１００ｍｍでチャックに固定し、次いで、試料を、１００ｍｍ／分の速度で、試料が破断するまで伸長させたときの強度である。また、「Ｎ／５０ｍｍ」は、幅５０ｍｍ当たりの引張強度［Ｎ］を示したものである。
【００３２】
補強シート２００Ａ，２００Ｂは、不織布からなることが好ましい。補強シート２００Ａ，２００Ｂは、例えば、ポリプロピレン若しくはポリエチレンベースの不織布、又はポリプロピレンとポリエチレンの両方を含む不織布からなっていてよい。また、補強シート２００Ａ，２００Ｂは、例えば、１２〜１７ｇ／ｍ２の目付を有するスパンボンド不織布から形成されていてもよい。この代わりに、補強シート２００Ａ，２００Ｂは、好ましくは９〜１５ｇ／ｍ２、より好ましくは９〜１３ｇ／ｍ２の目付を有するＳＭＳ不織布から形成されていてもよい。補強シート２００Ａ，２００Ｂの目付は、前側外装トップシート７０Ｆ、後側外装トップシート７０Ｒ、前側外装バックシート８０Ｆ及び後側外装バックシート８０Ｒの平均目付よりも小さいことが好ましい。
【００３３】
好ましくは、補強シート２００Ａ，２００Ｂ、前側外装トップシート７０Ｆ、後側外装トップシート７０Ｒ、前側外装バックシート８０Ｆ及び後側外装バックシート８０Ｒは、全て不織布から構成される。
【００３４】
補強シート２００Ａ，２００Ｂは、引張強度が最も強い方向が前後方向Ｌを向くように配置されていることが好ましい。補強シート２００Ａは、前側外装トップシート７０Ｆと前側外装バックシート８０Ｆの少なくとも一方に簡欠的に接合されていることが好ましい。すなわち、補強シート２００Ａは、全面で接着されないことが好ましい。補強シート２００Ｂは、後側外装トップシート７０Ｒと後側外装バックシート８０Ｒの少なくとも一方に簡欠的に接合されていることが好ましい。すなわち、補強シート２００Ｂは、全面で接着されないことが好ましい。なお、補強シート２００Ａ，２００Ｂは、例えばホットメルト接着材又はソニックシールなどによって外装材１Ｂと接合することができる。
【００３５】
図３に示す実施例では、前後方向Ｌにおける補強シート２００Ａ，２００Ｂの腰回り開口部８側の端部は、それぞれ前側外装バックシート８０Ｆ及び後側外装バックシート８０Ｒの折り返し部の内部に位置する。この場合、後側外装バックシート７０Ｒ、８０Ｒに補強シート２００Ａ，２００Ｂをソニックシールで間欠的に接合した後、ホットメルト接着材で外装トップシート７０Ｆ，７０Ｒと補強シート２００Ａ，２００Ｂを接合することが好ましい。通常、ソニックシールで接合した場合、繊維が融着接合した部分の柔軟性が損なわれることが多い。この場合、肌に直接接触する外装トップシート７０Ｆ，７０Ｒにはソニックシールされた部分がないため、局所的にシートが硬くなる部分がなく、さらにホットメルト接着材を間欠的に塗工することで良好な肌触りと通気性を実現できる。この代わりに、図４に示すように、補強シート２００Ａ，２００Ｂは、前側外装バックシート８０Ｆ及び後側外装バックシート８０Ｒの折り返し部よりも、着用者の肌側に配置されてもよい。なお、図４では、図３に示す構成と同様の構成について、同様の符号が付されている。また、図４に示す補強シート２００Ａ，２００Ｂの位置、長さ及び材質等については、図３に示す実施例と同様である。
【００３６】
前胴回り領域Ｓ１及び後胴回り領域Ｓ２には、ウエストギャザー３及び胴回りギャザー７が設けられていてよい。ウエストギャザー３及び胴回りギャザー７は、前胴回り領域Ｓ１における吸収性物品１の横方向Ｗ外側に位置する一方の前胴回り縁部４から他方の前胴回り縁部４‘まで連続し、後胴回り領域Ｓ２における吸収性物品１の横方向Ｗ外側に位置する一方の後胴回り縁部６から他方の後胴回り縁部６‘まで連続していてよい。
【００３７】
ウエストギャザー３及び胴回りギャザー７は、横方向Ｗに沿って伸縮可能な複数のウエスト弾性材３Ａ及び複数の胴回り弾性材７Ａを有する。ウエスト弾性材３Ａ及び複数の胴回り弾性材７Ａは、横方向Ｗに沿って延びている。複数のウエスト弾性材３Ａは、複数の胴回り弾性材７Ａよりも腰回り開口部８側に設けられている。ウエスト弾性材３Ａ及び胴回り弾性材７Ａは、使い捨ておむつ１の横方向Ｗに対して伸長された状態で接着剤（例えばホットメルト接着剤）によって、外装体１Ｂに接着される。
【００３８】
複数のウエスト弾性材３Ａのうち少なくとも一部は、前側外装バックシート８０Ｆ及び／又は後側外装バックシート８０Ｒの折り返し部の内部に設けられていてよい。複数の胴回り弾性材７Ａは、前側外装トップシート７０Ｆと前側外装バックシート８０Ｆとの間、又は後側外装トップシート８０Ｆと後側外装バックシート８０Ｒとの間に挟まれている。
【００３９】
複数の胴回り弾性材７Ａの各々は、接着材によって外装トップシート７０Ｆ，７０Ｒ及び外装バックシート８０Ｆ，８０Ｒに接合される。平面視で補強シート２００Ａ，２００Ｂと重複した領域であって、かつ複数の胴回り弾性材７Ａを接合する接着材どうしの間の領域には、接着材が設けられていない領域が存在する。すなわち、横方向Ｗに沿って延びる接着領域と、横方向Ｗに沿って延びる非接着領域とが、前後方向Ｌに交互に配置されている。
【００４０】
前後方向Ｌにおける複数の胴回り弾性材７Ａのピッチは、前後方向Ｌにおける複数のウエスト弾性材３Ａのピッチよりも長いことが好ましい。補強シート２００Ａ，２００Ｂは、平面視で複数の胴回り弾性材７Ａの少なくとも一部と重複していてよい。
【００４１】
補強シート２００Ａ，２００Ｂは、前後方向Ｌにおいて連続的に延びていてもよい。この代わりに、補強シート２００Ａ，２００Ｂは、前後方向Ｌにおいて断続的に延びていてもよい。この場合、前後方向Ｌにおける補強シート２００Ａ，２００Ｂ間の間隔は、５ｍｍ以下であることが好ましい。特に補強シートを配置した領域に胴回り弾性材７Ａがある場合は、胴回り弾性材７Ａにより資材強度が確保できるため、胴回り弾性部材７Ａと重ならないように間隔を空けて配置してもよい。これにより、補強シート２００Ａ，２００Ｂの使用量を少なくすることができる上、通気性も確保できる。
【００４２】
（２）作用効果
本実施形態に係るパンツ型の吸収性物品１では、外装バックシート８０Ｆ，８０Ｒは、外装トップシート７０Ｆ，７０Ｒよりも腰回り開口部８の方へ延びており、かつ腰回り開口部８のところで折り返された折り返し部を有する。補強シート２００Ａ，２００Ｂは、前後方向Ｌと直交する横方向Ｗに沿って延び、平面視で折り返し部の少なくとも一部と重なっている。前後方向Ｌにおける補強シート２００Ａ，２００Ｂの長さＬ３，Ｌ４は、前後方向Ｌにおける折り返し部の長さＬ１，Ｌ２よりも長い。前胴回り領域Ｓ１と後胴回り領域Ｓ２に位置する折り返し部は、着用者の手によって掴まれ易い。そのため、着用動作中に、着用者の指からの圧力は折り返し部にかかりやすい。よって、折り返し部付近は、特に着用動作中に破れやすい。特に、外装体１Ｂを薄くすればするほど、外装体１Ｂは破損しやすくなる。
【００４３】
本実施形態では、折り返し部の少なくとも一部と重なる補強シート２００Ａ，２００Ｂによって、破れやすい領域の強度を向上させている。また、前後方向Ｌにおける補強シート２００Ａ，２００Ｂの長さＬ３，Ｌ４が、前後方向Ｌにおける折り返し部の長さＬ１，Ｌ２よりも長いため、補強シート２００Ａ，２００Ｂは、折り返された外装バックシート８０Ｆ，８０Ｒの前後方向Ｌの先端に重なって配置される。このように、補強シート２００Ａ，２００Ｂは、より破損しやすい折り返し部の先端を保護することができる。よって、外装体１Ｂを薄くしたとしても、着用動作中の破損を抑制することができる。
【００４４】
一実施形態によれば、外装トップシート７０Ｆ，７０Ｒと外装バックシート８０Ｆ，８０Ｒの合計目付は、３２ｇ／ｍ２以下である。これにより、前胴回り領域Ｓ１と後胴回り領域Ｓ２の少なくとも一方の柔軟性を向上させることができる。また、目付を小さくすることで、製造コストの低下を図ることもできる。なお、前述した補強シート２００Ａ，２００Ｂにより、前胴回り領域Ｓ１と後胴回り領域Ｓ２の少なくとも一方の強度を増大させることができるため、合計目付が３２ｇ／ｍ２以下であっても、吸収性物品１の破損を抑制することができる。
【００４５】
一実施形態によれば、補強シート２００Ａ，２００Ｂは、少なくとも後胴回り領域Ｓ２に設けられている。着用者がパンツ型の吸収性物品１を履くとき、着用者の臀部が吸収性物品１に引っかかることがある。この場合、着用者は、後胴回り領域Ｓ２を掴み、後胴回り領域Ｓ２を強く引き上げようとする。本実施形態では、後胴回り領域Ｓ２に補強シート２００Ａ，２００Ｂが設けられているため、着用時の吸収性物品１の破損を抑制することができる。
【００４６】
一実施形態によれば、補強シート２００Ａ，２００Ｂは、前胴回り領域Ｓ１と後胴回り領域Ｓ２の両方に設けられている。後胴回り領域Ｓ２に設けられた補強シート２００Ｂの、前後方向Ｌにおける長さＬ４は、前胴回り領域Ｓ１に設けられた補強シート２００Ａの、前後方向Ｌにおける長さＬ３よりも長い。着用者の臀部が吸収性物品１に引っかかった場合、着用者は、後胴回り領域Ｓ２を引き上げるために、後胴回り領域Ｓ２のうちの前後方向Ｌに長く掴みつつ、吸収性物品１を持ち上げようとすることが多い。このような場合であっても、前後方向Ｌにおいて後胴回り領域Ｓ２の補強シート２００Ｂの長さＬ４が比較的長いため、着用時の吸収性物品１の破損をより抑制することができる。
【００４７】
一実施形態によれば、補強シート２００Ａ，２００Ｂは、吸収体４０よりも着用者の肌側で、前後方向Ｌにおける吸収体４０の端部と重なっている。吸収体４０は、吸収性物品１のなかでも比較的剛性の高い部分である。したがって、吸収体４０の端部は、着用者の肌に比較的強い刺激を与えやすい。本実施形態では、補強シート２００Ａ，２００Ｂが吸収体４０の端部を覆っているため、吸収体４０の端部が着用者の肌に与える刺激を抑制することができる。
【００４８】
一実施形態によれば、補強シート２００Ａ，２００Ｂは、不織布からなり、外装トップシート７０Ｆ，７０Ｒと外装バックシート８０Ｆ，８０Ｒの少なくとも一方に簡欠的に接合されている。不織布からなる補強シート２００Ａ，２００Ｂが、全面でなく簡欠的に接合されているため、前胴回り領域Ｓ１及び／又は後胴回り領域Ｓ２の柔軟性と通気性を確保することができる。
【００４９】
一実施形態によれば、前後方向Ｌにおける補強シート２００Ａ，２００Ｂの端部は折り返し部の内部に位置する。シートの端部、特に接合されていない端部が着用者の肌に接すると、着用者に違和感を与える虞がある。本実施形態では、補強シート２００Ａ，２００Ｂの少なくとも一方の端部が折り返し部の内部に位置する。したがって、折り返し部の内部に位置する補強シート２００Ａ，２００Ｂの端部が、着用者の肌に直接接することがない。これにより、着用者に与える違和感を防止することができる。
【００５０】
一実施形態によれば、パンツ型の吸収性物品１は、外装トップシート７０Ｆ，７０Ｒと外装バックシート８０Ｆ，８０Ｒとの間に挟まれ、前後方向Ｌに直交する横方向Ｗに延びる複数の胴回り弾性材７Ａをさらに有する。前胴回り領域Ｓ１及び後胴回り領域Ｓ２に複数の胴回り弾性材７Ａを有することで、パンツ型の吸収性物品１が着用者からずれ落ちることを防止することができる。
【００５１】
一実施形態によれば、パンツ型の吸収性物品１は、複数の胴回り弾性材７Ａよりも腰回り開口部８側で折り返し部の内部に設けられ、横方向Ｗに延びる複数のウエスト弾性材３Ａをさらに有する。前後方向Ｌにおける複数の胴回り弾性材７Ａのピッチは、前後方向Ｌにおける複数のウエスト弾性材３Ａのピッチよりも長い。補強シート２００Ａ，２００Ｂは、平面視で複数の胴回り弾性材７Ａの少なくとも一部と重複している。吸収性物品１の着用時に、着用者の指は、弾性材３Ａ，７Ａ間のピッチが大きいところに入り易い。本実施形態では、着用者の指は、複数の胴回り弾性材７Ａ間の領域に入りやすい。この領域に補強シート２００Ａ，２００Ｂが設けられているため、着用者の指や爪が刺さったとしても吸収性物品１が破れ難くなる。
【００５２】
一実施形態によれば、補強シート２００Ａ，２００Ｂは、平面視で複数の胴回り弾性材７Ａの少なくとも一部と重複している。複数の胴回り弾性材７Ａの各々は、接着材によって外装トップシート７０Ｆ，７０Ｒ及び外装バックシート８０Ｆ，８０Ｒに接合されている。平面視で補強シート２００Ａ，２００Ｂと重複した領域であって、かつ複数の胴回り弾性材７Ａを接合する接着材どうしの間の領域には、接着材が設けられていない領域が存在する。接着材の塗布量が多いと、吸収性物品１の柔軟性を低下させる可能性がある。本実施形態では、前後方向Ｌにおいて複数の胴回り弾性材７Ａ間の領域に接着材が設けられていないことで、複数の胴回り弾性材７Ａ間の領域の柔軟性を確保している。さらに、補強シート２００Ａ，２００Ｂが、複数の胴回り弾性材７Ａ間の領域であって接着材が設けられていない領域を覆っているため、当該領域の強度を向上させることもできる。
【００５３】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５４】
１        使い捨ておむつ（吸収性物品）
１Ａ      吸収性本体
１Ｂ      外装体
３Ａ      ウエスト弾性材
４，４’  前胴回り側縁部
６，６’  後胴回り縁部
７Ａ      胴回り弾性材
８        腰回り開口部
４０      吸収体
７０Ｆ    前側外装トップシート
７０Ｒ    後側外装トップシート
８０Ｆ    前側外装バックシート
８０Ｒ    後側外装バックシート
Ｓ１      前胴回り領域
Ｓ２      後胴回り領域
Ｓ３      股下領域
Ｌ        前後方向
Ｗ        横方向
【要約】
【課題】着用動作中の破損を抑制することができるパンツ型の吸収性物品を提供する。
【解決手段】パンツ型の吸収性物品１は、前胴回り領域Ｓ１と、後胴回り領域Ｓ２と、股下領域Ｓ３と、前胴回り領域及び後胴回り領域によって規定され、着用者の腰回りを囲むように配置される腰回り開口部８と、前胴回り領域と後胴回り領域の少なくとも一方に設けられた外装トップシート７０Ｆ，７０Ｒと、外装トップシートに貼り合わされた外装バックシート８０Ｆ，８０Ｒと、を有し、外装バックシート８０Ｆ，８０Ｒは、外装トップシートよりも腰回り開口部８の方へ延びており、腰回り開口部のところで折り返された折り返し部を有し、前後方向Ｌと直交する横方向Ｗに沿って延び、折り返し部の少なくとも一部と重なる補強シート２００Ａ，２００Ｂが設けられており、前後方向Ｌにおける補強シートの長さは、前後方向Ｌにおける折り返し部の長さよりも長い。
【選択図】図３【図１】
0006006373.tif 000002
【図２】
0006006373.tif 000003
【図３】
0006006373.tif 000004
【図４】
0006006373.tif 000005